(57)【要約】      （修正有）【課題】効率的な電池レイアウトとバックアップ電池の良好な着脱操作性を損なうことなく、また電池収納室全体の剛性を確保し電子機器そのものの信頼性を維持したまま電子機器本体の小型化を達成することを目的としている。【解決手段】第１の電池４を挿入するための開口部と、挿入された前記第１の電池を収納し保持する電池収納室１０を備え、該電池収納室を構成している壁の一部を切り欠いている。この切り欠いた部分を覆うように、前記第１の電池よりも体積の小さい第２の電池７を保持する保持部材３０を配置したことを特徴とする。【選択図】図３
2008177036.tif 000002
【特許請求の範囲】
【請求項１】
第１の電池を挿入するための開口部と、挿入された前記第１の電池を収納し保持する電池収納室を備え、該電池収納室を構成している壁の一部を切り欠き、この切り欠いた部分を覆うように、前記第１の電池よりも体積の小さい第２の電池を保持する保持部材を配置したことを特徴とする電子機器の電池収納構造。
【請求項２】
前記第１の電池は電子機器の主要機能動作のための電源であり、第２の電池は第１の電池が非収納状態において一部回路動作のバックアップのための電源であることを特徴とする請求項１記載の電子機器の電池収納構造。
【請求項３】
前記第２の電池に電気的導通をとるための接片部は、前記切り欠き部分に対応して設けられることを特徴とする請求項１または２に記載の電子機器の電池収納構造。
【発明の詳細な説明】
【技術分野】
【０００１】
本発明は、電子機器の電池収納部の構造に関する。
【背景技術】
【０００２】
一般的にデジタルカメラのような電子機器の電源は、以下のようになっている。すなわち、主電源たる第１の電池に加え、第１の電池の交換時や消耗時に機器内部データが消滅しないようにバックアップするためのコイン電池のような第１の電池よりも体積の小さい第２の電池が用いられている。特に近年は第１の電池として充電式のものが多く用いられ、その場合は電子機器本体から電池を抜き、別途充電器に装着して充電動作を行い、充電が完了した後、電子機器に第１の電池を装着するという使い方となる。本体に装着状態のままで充電動作が行える機器もあるが、長期間使用しない場合等電池を抜いておく状態も考慮しなければならないため、このような電子機器の場合もバックアップ電池を搭載することが多い。
【０００３】
これら２つの電池のレイアウトについては様々な従来例が知られているが、両者とも電源であることから互いに近傍に配置する方が回路実装上効率的で有利な場合が多い。また着脱動作が必要なことから開閉蓋が必要になるが、これを共有して構成部品的にも効率的な配置を実現している場合が多い。図４、図５はこうした従来例を示しており、電池収納部の部分のみ示している。図４はバックアップ電池収納状態であり、図５はバックアップ電池をそのホルダごと外した状態を示している。１は電池収納室本体、２は電池収納室カバー、３はバックアップ電池ホルダ、４は主電池、５は主電池４の脱落防止ロック部材、６は電池収納室の開閉蓋取り付け部（開閉蓋は不図示）である。図５は電池収納室カバー２を外してバックアップ電池収納部を露出させた状態の図である。１１、１２はバックアップ電池の導通接片で、１３は電池収納室本体１に設けられた床部で電池収納室全体の剛性確保とバックアップ電池着脱操作時に不用意に接片に触れないようにする役割を果たしている。バックアップ電池７はバックアップ電池ホルダ３に装着された状態で収納室に対して装着される構造とし、操作性の向上を図っている。また着脱操作自体は、主電池４がない状態で電池収納室に指を差込み引き出すことで外すことが出来る。このとき導通接片１２は、バックアップ電池７着脱時のクリックの役割も兼ねている。
【特許文献１】特開平１１−０４４９０９号公報
【発明の開示】
【発明が解決しようとする課題】
【０００４】
前記従来例においては、以下のような問題がある。前記従来例の構成によると主電池４と電池収納室カバー２の間に床部１３、導通接片１１、１２、さらに電池収納室カバー２が積層されており、厚みが多く構成部品も多いため電子機器本体の小型化に不利な構造となっている。このとき単純に床部１３を排除してしまうと電池収納室全体の剛性確保が困難になり、電子機器そのものの信頼性が低下する。
【０００５】
本発明は上記問題点に鑑みてなされたものであり、効率的な電池レイアウトとバックアップ電池の良好な着脱操作性を実現できる。また、電池収納室全体の剛性を確保し電子機器そのものの信頼性を維持したまま機器本体の小型化を達成することを目的としている。
【課題を解決するための手段】
【０００６】
本発明の一側面としての電子機器の電池収納構造は、第１の電池を挿入するための開口部と、挿入された前記第１の電池を収納し保持する電池収納室を備え、該電池収納室を構成している壁の一部を切り欠き、この切り欠いた部分を覆うように、前記第１の電池よりも体積の小さい第２の電池を保持する保持部材を配置したことを特徴とする。
【発明の効果】
【０００７】
本発明によれば、効率的な電池レイアウトとバックアップ電池の良好な着脱操作性を実現できる。また、電池収納室全体の剛性を確保し電子機器そのものの信頼性を維持したまま機器本体の小型化を達成することができる。
【発明を実施するための最良の形態】
【０００８】
以下、本発明の好ましい実施例について図面を参照しながら説明する。
【実施例】
【０００９】
図１は本発明をデジタルカメラ（電子撮像装置）に適用した実施の形態を示す外観図で、電池を挿入するための開口部を有する電池収納室１０に取り付けられた開閉蓋６０を開放した状態の図である。カメラ本体は前カバー９１と後ろカバー９２、上カバー９３の３つの外装部材によって構成されている。カメラ背面にはファインダ９４、撮影画像及びその他撮影情報を確認するためのモニタ９５が備えられている。電池収納室１０には開閉蓋６０のヒンジ部と並ぶように主電源（主要機能動作を行なう）である第１の電池として略直方体の電池４が収納されており、落下防止用の電池ロック爪５０によって係止されている。この電池ロック爪５０を外すことにより、電池４を電池収納室１０から取り外すことができる。また電池収納室１０の開口部長辺側には、撮影画像の記録等に用いられる記録メディア８が電池４と平行に収められている。また電池収納室１０の開口部短辺側には、着脱可能なバックアップ電池ホルダ３０が電池４と平行に収められている。バックアップ電池ホルダ３０は、第２の電池７を保持する保持部材として機能する。第２の電池７は、カメラの内部メモリに記憶されている日付時刻やカメラの撮影設定情報を、電池４が電池収納室１０に非収納状態でも消滅させないための一部回路動作のバックアップとして用いられる。尚、第１の電池４に対して第２の電池７は、その体積が小さくなっている。
【００１０】
図２は電池４を取り出した状態での電池収納室１０の斜視図である。バックアップ電池の着脱はこの図のように電池４を取り出した状態で行なうものである。
【００１１】
バックアップ電池ホルダ３０の上面には、指が引っかかりやすくするための窪み部３１が設けられている。電池４が電池収納室１０に収納されていない状態では、この窪み部３１が電池収納室１０の内壁に露出するため、バックアップ電池７の交換時において、バックアップ電池ホルダ３０をカメラ本体より容易に取り外すことができる。バックアップ電池７の寿命は十分長く、使用者が頻繁に交換するものではなく、また普段は不注意に着脱することがないように考慮されていることが望ましい。さらには着脱のために専用の開閉構造などを設けることは部品点数の増加、コスト増などにもつながるため、本実施例のような電池収納構造が有効である。
【００１２】
図３は、バックアップ電池収納部１４の構成を示すために電池収納室１０を底面側から見た分解斜視図である。バックアップ電池ホルダ３０は、電池室収納部１０の底面の一部を切り欠いて設けられたバックアップ電池ホルダ３０の収納部１４の部分を覆うように配置される。バックアップ電池ホルダ３０には電池保持爪３２、３３が設けられており、バックアップ電池７を保持したままの状態で維持できる構造になっている。
【００１３】
バックアップ電池ホルダ３０は幅が電池収納部１０の壁面の幅とほぼ同等、また厚みが電池収納部１０の壁厚みとほぼ同等であるため、装着状態において電池収納部１０から大きく突出することが無い。これにより、電池収納部全体を小型化することができる。バックアップ電池収納部１４では、電池収納室１０の壁部を切り欠いたできた壁面１５とバックアップ電池ホルダ３０の外周とが接するように収納される。その状態で、マイナス（以下−）電池接片１１０と不図示のプラス（以下＋）電池接片で電気的導通がとられている。
【００１４】
次に、−電池接片１１０の構造について説明する。−電池接片１１０には、前述のバックアップ電池７の電気的導通をとるための接片部１１０ａが形成されている。さらに、該接片部１１０ａは電池収納室１０の一部を切り欠いて設けられたバックアップ電池ホルダ３０の収納部１４に対応していて、バックアップ電池ホルダ３０を覆う形状となっている。また、バックアップ電池７との電気的導通を図る接片部１１０ａは板バネ状になっており、バックアップ電池７着脱操作時のクリックの役割も兼ねている。さらに、−電池接片１１０には、電池収納室１０に設けられたダボ１１３と１１４に対して結合するための穴１１０ｂ、１１０ｃが配されている。これらダボ１１３，１１４と、穴１１０ｂ、１１０ｃを結合し組み付けた後、熱カシメ等で電池収納室１０に固着される。通常はバックアップ電池７は電子機器本体に装着されたままであるから、−電池接片１１０だけでなくバックアップ電池ホルダ３０との合同で電池収納室１０の剛性は十分保たれることになる。
【００１５】
以上の構成により、本発明の電池収納室は実用上十分な剛性を確保しながら電子機器本体の小型化を達成する構造になっている。
【図面の簡単な説明】
【００１６】
【図１】電池蓋を開けた状態でのカメラの外観斜視図。
【図２】主電池を取り出した状態での電池収納部の斜視図。
【図３】バックアップ電池収納部の構成を示す分解斜視図。
【図４】従来の電池収納部の斜視図。
【図５】図４の分解斜視図。
【符号の説明】
【００１７】
１、１０  電池収納室
３、３０  バックアップ電池ホルダ
４  主電池（第１の電池）
７  バックアップ電池（第２の電池）
１１、１１０  −電池接片
１４  バックアップ電池収納部
【図１】
2008177036.tif 000003
【図２】
2008177036.tif 000004
【図３】
2008177036.tif 000005
【図４】
2008177036.tif 000006
【図５】
2008177036.tif 000007